(57)【要約】  人間などの物体を検出するための１つ以上の技術及び／又はシステムを提供する。例えば，センシングシステムは，センサ配列を備えることができる。センサ配列は，パッシブセンサとアクティブセンサとを含むことができる。アクティブセンサは，パッシブセンサによって起動されるまでは，スリープ状態（例えば，相対的に低い電力状態）に設定することができる。例えば，物体の存在（例えば，病室に進入しつつある看護師）を検出したことに応じて，物体検出データ（例えば，看護師の衛生機会を示唆するもの）を生成するために，検出ゾーン内で物体の動き及び／又は距離を検出するため，パッシブセンサは，アクティブセンサをスリープ状態からアクティブ状態に起動させることができる。アクティブセンサは，検出タイムアウト，及び／又は物体が検出ゾーンを離れたという判定に応じて，アクティブ状態からスリープ状態に遷移することができる。【選択図】図１
2017512977.tif 000002
【特許請求の範囲】
【請求項１】
物体を検出するためのセンシングシステムであって，
第１のセンサ配列を備え，該第１のセンサ配列は，
第１のパッシブセンサであって，
物体の存在を検出したことに応じて，第１のアクティブセンサに起動信号を送信するように構成された第１のパッシブセンサと，
前記第１のアクティブセンサであって，
前記第１のパッシブセンサから前記起動信号を受信したことに応じて，スリープ状態からアクティブ状態に遷移し，
前記アクティブ状態にある間に，
物体検出データを生成するために，第１の検出ゾーン内で前記物体の動き又は距離の少なくとも一方を検出し，
検出タイムアウト，又は前記物体が前記第１の検出ゾーンを離れたという判定，の少なくとも一方に応じて，前記アクティブ状態から前記スリープ状態に遷移するように構成された第１のアクティブセンサと
を含むセンシングシステム。
【請求項２】
前記第１のパッシブセンサ及び前記第１のアクティブセンサは，センサ筐体内に含まれる請求項１記載のセンシングシステム。
【請求項３】
前記第１のパッシブセンサは，第１のセンサ筐体内に含まれ，前記第１のアクティブセンサは，第２のセンサ筐体内に含まれる請求項１記載のセンシングシステム。
【請求項４】
前記第１のパッシブセンサは，前記起動信号をＲＦ信号として，前記第１のアクティブセンサに送信するように構成される請求項１記載のセンシングシステム。
【請求項５】
前記第１のセンサ配列は，
前記物体検出データに基づいて，衛生機会を識別すること，又は，
人間による領域への進入，もしくは領域からの退去を識別すること，
のうちの少なくとも一方を実行するように構成される請求項１記載のセンシングシステム。
【請求項６】
前記第１のセンサ配列は，
前記物体検出データをデータ記憶装置に保存すること，
通信ネットワークを介して前記物体検出データを伝送すること，
前記物体検出データをＲＦ信号として伝送すること，又は，
指示器をアクティブにすること，
のうちの少なくとも１つを実行するように構成される請求項１記載のセンシングシステム。
【請求項７】
前記第１のアクティブセンサは，
非検出距離測定基準の第１セットに基づいて規定された非検出ゾーンを無視するように構成される請求項１記載のセンシングシステム。
【請求項８】
前記非検出ゾーンは，患者ベッドゾーンを含む請求項７記載のセンシングシステム。
【請求項９】
前記第１のアクティブセンサは，
検出距離測定基準の第１セットに基づいて，前記第１の検出ゾーンを規定するように構成される請求項１記載のセンシングシステム。
【請求項１０】
前記第１の検出ゾーンは，ベッドサイドゾーン，出入口ゾーン，衛生ゾーン，又は衛生機会ゾーンのうちの少なくとも１つを含む請求項９記載のセンシングシステム。
【請求項１１】
前記第１のアクティブセンサは，
検出距離測定基準の第２セットに基づいて，第２の検出ゾーンを規定するように構成される請求項１記載のセンシングシステム。
【請求項１２】
前記第１の検出ゾーンは，ベッドの第１のベッドサイドゾーンに相当し，前記第２の検出ゾーンは，前記ベッドの第２のベッドサイドゾーンに相当し，非検出ゾーンは，患者ベッドゾーンに相当する請求項１１記載のセンシングシステム。
【請求項１３】
前記第１のセンサ配列は，
第２のアクティブセンサを含み，該第２のアクティブセンサは，
前記第１のパッシブセンサから第２の起動信号を受信したことに応じて，
第２のスリープ状態から第２のアクティブ状態に遷移し，
前記第２のアクティブ状態にある間に，
第２の物体検出データを生成するために，第２の検出ゾーン内で前記物体の第２の動き又は第２の距離のうちの少なくとも一方を検出し，
第２の検出タイムアウト，又は前記物体が前記第２の検出ゾーンを離れたという第２の判定，の少なくとも一方に応じて，前記第２のアクティブ状態から前記第２のスリープ状態に遷移するように構成される請求項１記載のセンシングシステム。
【請求項１４】
前記第１のアクティブセンサと前記第２のアクティブセンサは，前記物体がエリアに進入しつつある，又はエリアを離れつつあるかどうか判断するために，前記物体を順次検出するように構成される請求項１３記載のセンシングシステム。
【請求項１５】
前記第１のセンサ配列は，入退路を横切るように照準が合わせられる請求項１記載のセンシングシステム。
【請求項１６】
前記第１のセンサ配列は，入退路に向けて照準が合わせられる請求項１記載のセンシングシステム。
【請求項１７】
前記第１のセンサ配列は，バッテリによって給電される請求項１記載のセンシングシステム。
【請求項１８】
物体を検出するための方法であって，
第１のパッシブセンサを起動することであって，
物体の存在を検出したことに応じて，第１のアクティブセンサに起動信号を送信する，ための第１のパッシブセンサを起動することと，
第１のアクティブセンサを起動することであって，
前記第１のパッシブセンサから前記起動信号を受信したことに応じて，スリープ状態からアクティブ状態に遷移し，
前記アクティブ状態にある間に，
物体検出データを生成するために，第１の検出ゾーン内で前記物体の動き又は距離の少なくとも一方を検出し，
検出タイムアウト，又は前記物体が前記第１の検出ゾーンを離れたという判定，の少なくとも一方に応じて，前記アクティブ状態から前記スリープ状態に遷移するための第１のアクティブセンサを起動することとを含む方法。
【請求項１９】
前記物体検出データに基づいて，衛生機会を識別することを含む請求項１８記載の方法。
【請求項２０】
物体を検出するためのセンシングシステムであって，
第１のアクティブセンサを備え，該第１のアクティブセンサは，
スリープ状態からアクティブ状態に遷移し，
前記アクティブ状態にある間に，
前記物体の衛生機会を示唆する物体検出データを生成するために，検出距離測定基準の第１セットに基づいて規定される第１の検出ゾーン内で，前記物体の動き又は距離の少なくとも一方を検出し，
非検出距離測定基準のセットに基づいて規定される非検出ゾーンを無視し，
検出タイムアウト，又は前記物体が前記第１の検出ゾーンを離れたという判定，の少なくとも一方に応じて，前記アクティブ状態から前記スリープ状態に遷移するように構成されるシステム。
【発明の詳細な説明】
【発明の詳細な説明】
【０００１】
関連出願
本出願は，「SENSOR  CONFIGURATION（センサ構成）」という名称で２０１４年１月１７日に出願された米国仮特許出願第６１／９２８，５３５号の優先権を主張するものであり，この文献は，参照により本明細書に組み込まれる。
【技術分野】
【０００２】
本出願は，広くは，人間などの物体を検出するためのセンシングシステムに関する。例えば，本出願は，医療従事者の衛生機会を識別するために，医療従事者などの物体を検出するための方法及び／又はシステムに関するものである。
【背景技術】
【０００３】
病院，工場，レストラン，住宅など，多くの場所で，様々な衛生管理対策及び／又は疾病管理対策を実施することがある。例えば，病院では，手術室に対して８５％の衛生遵守基準を設定することができる。衛生機会は，手指消毒剤の使用又は手洗いのような衛生事象を，個人が実行するべき状況又は計画に相当し得る。衛生機会の遵守によって，現在の衛生水準は向上し得る一方，不遵守によって，現在の衛生水準は低下し得る。衛生を監視する一例では，ディスペンサシステムから消費又は注出されたソープ，ローション，消毒剤などの物質の量を測定することによって，衛生ディスペンサを監視することができる。しかしながら，衛生ディスペンサの使用がより多いことが，衛生の向上に直接相関していないことがある（例えば，医療従事者は，手術室で高感染リスク患者に触れた後のような感染リスクが比較的高い状況ではなく，感染リスクが比較的低い状況で，衛生ディスペンサを不用意に使用することがある）。
【発明の概要】
【０００４】
本概要は，以下の詳細な説明でさらに記載されるコンセプトの抜粋を簡略化した形で紹介するために提供される。本概要は，特許請求の対象の主要な要素又は本質的な特徴を明らかにするものではなく，また，特許請求の対象範囲を限定するために用いられるものでもない。
【０００５】
特に，物体を検出するための１つ以上のシステム及び／又は技術について，本明細書で提示する。一例では，センシングシステムは，センサ配列を備える。センサ配列は，パッシブセンサとアクティブセンサとを含む。パッシブセンサは，物体の存在を検出するように構成することができる。例えば，パッシブセンサは，病室内に進入する看護師を，看護師の体温による看護師からの赤外線放射に基づいて検出することができる（例えば，パッシブセンサは，周囲温度からの温度変化を検出することができ，これにより，その温度変化が差異閾値を超えている場合は，パッシブセンサは，物体が存在すると判定することができる）。パッシブセンサは，比較的低い消費電力を用いて作動することができる（例えば，パッシブセンサは，バッテリを用いて作動することができる）。パッシブセンサは，比較的不正確であり得るため，パッシブセンサは，パッシブセンサで物体の存在を検出したことに応じて，アクティブセンサに起動信号を送信するように構成することができる。アクティブセンサは，パッシブセンサよりも相対的に正確であり得るため，物体の動き及び／又は距離を測定するために，アクティブセンサを起動させる。センサ配列は，１つ以上のパッシブセンサと１つ以上のアクティブセンサとを含むことができる。一例では，センサ配列は，複数のアクティブセンサを起動させるように構成されたパッシブセンサを含むことができる。他の例では，センサ配列は，１つのアクティブセンサを起動させるように構成された複数のパッシブセンサを含むことができる。他の例では，センサ配列は，複数のアクティブセンサを起動させるように構成された複数のパッシブセンサを含むことができる。
【０００６】
アクティブセンサの作動は，相対的に大きな電力量を使用し得るので，アクティブセンサは，パッシブセンサによって起動されるまでは，スリープ状態（例えば，相対的に低い電力状態）にあるように構成することができる。例えば，アクティブセンサは，パッシブセンサから起動信号を受信したことに応じて，スリープ状態からアクティブ状態に遷移することができる。アクティブセンサは，アクティブ状態にある間は，物体検出データを生成するために，第１の検出ゾーン内で物体の動き及び／又は距離を検出することができる。例えば，エミッタで，１つ以上の信号（例えば，光子，光パルス，平行ビーム，三角ビーム，超音波，ＲＦ信号，赤外線など）を放出することができ，これは，物体で反射されることができ，そして受信機（例えば，フォトダイオード，フォトダイオードアレイ，飛行時間型測定装置など）で検出される。アクティブセンサは，飛行時間型装置（例えば，超音波信号のような第１の信号とＲＦ信号のような第２の信号との間の到達時間差に基づいて飛行時間を測定する装置），カメラ装置，赤外線装置，レーダ装置，音響装置，などのような任意のセンシング装置を含み得るものと理解できる。一例では，距離測定基準(metric)に基づいて，１つ以上の検出ゾーン（例えば，監視対象となる，患者ベッドゾーンの左側の左ベッドサイドゾーン，及び患者ベッドゾーンの右側の右ベッドサイドゾーン）を規定することができ，並びに／又は１つ以上の非検出ゾーン（例えば，監視対象とならない，患者ベッドゾーン）を規定することができる。検出タイムアウト（例えば，１０秒），及び／又は物体が第１の検出ゾーンを離れた（例えば，看護師は，左ベッドサイドから離れたかもしれない）という判定に応じて，アクティブセンサは，アクティブ状態からスリープ状態に遷移することができる。このようにして，センサ配列は，パッシブセンサによって起動されるまではアクティブセンサがスリープ状態にあることで，相対的に低い電力状態で作動しつつ，（例えば，患者に接した後の看護師の手洗いの機会のような，衛生機会を示唆する）物体の正確な検出を提供することができる。
【０００７】
上記及び関連する目的を達成するため，以下の説明及び添付の図面で，いくつかの例示的な態様及び実施について記載する。これらは，１つ以上の態様を採用することができる様々な方法を示すものであるが，ただし，そのうちのほんのいくつかにすぎない。本開示の他の態様，効果，及び新規の特徴は，添付の図面を併用して考察される以下の詳細な説明から明らかになるであろう。
【図面の簡単な説明】
【０００８】
【図１】物体を検出する例示的な方法を示すフロー図である。
【図２Ａ】第１のセンサ配列を備えた例示的なセンシングシステムを示す構成ブロック図である。
【図２Ｂ】第１のセンサ配列の第１のアクティブセンサがアクティブ状態からスリープ状態に遷移する一例を示す図である。
【図３Ａ】物体を検出するための例示的なセンシングシステムを示す構成ブロック図である。
【図３Ｂ】物体を検出するための例示的なセンシングシステムを示す構成ブロック図である。
【図３Ｃ】物体を検出するための例示的なセンシングシステムを示す構成ブロック図である。
【図３Ｄ】物体を検出するための例示的なセンシングシステムを示す構成ブロック図である。
【図３Ｅ】物体を検出するための例示的なセンシングシステムを示す構成ブロック図である。
【図３Ｆ】物体を検出するための例示的なセンシングシステムを示す構成ブロック図である。
【図４】患者の病室内に構成されたセンシングシステムの一例を示す図である。
【図５】患者の病室内に構成されたセンシングシステムの一例を示す図である。
【図６Ａ】患者の病室内に構成されたセンシングシステムの一例を示す図である。
【図６Ｂ】物体を検出するために，第１のセンサ配列のパッシブセンサが第１のセンサ配列のアクティブセンサを起動させる一例を示す図である。
【図７Ａ】患者の病室内に構成されたセンシングシステムの一例を示す図である。
【図７Ｂ】物体を検出するために，第１のセンサ配列のパッシブセンサが第１のセンサ配列のアクティブセンサを起動させる一例を示す図である。
【図８Ａ】複数のセンサ配列による，物体の逐次検出の一例を示す図である。
【図８Ｂ】複数のセンサ配列による，物体の逐次検出の一例を示す図である。
【図８Ｃ】複数のセンサ配列による，物体の逐次検出の一例を示す図である。
【図９Ａ】検出構成の第１の区域に従って構成されたセンシングシステムの一例を示す図である。
【図９Ｂ】検出構成の第２の区域に従って構成されたセンシングシステムの一例を示す図である。
【図１０】本明細書に記載の規定のうち１つ以上を実現するように構成されたプロセッサ実行可能命令を含み得る例示的なコンピュータ可読媒体を示す図である。
【図１１】本明細書に記載の規定のうち１つ以上が実施され得る例示的なコンピューティング環境を示している。
【０００９】
詳細な説明
請求項に係る主題について図面を参照して以下で説明するが，このとき，類似の要素は，一般に，全体を通して同様の参照符号を用いて示している。以下の説明では，請求項に係る主題についての理解を与えるため，説明を目的として，様々な具体的詳細が記載される。しかしながら，これら特定の詳細を省いても，請求項に係る主題を実施できることは明らかであろう。また，請求項に係る主題の説明を容易とするため，構造及び装置は，ブロック図の形式で示している。
【００１０】
物体を検出する一実施形態を，図１の例示的な方法１００で示している。この方法は１０２で開始する。１０４で，物体の存在を検出したことに応じて第１のアクティブセンサ（例えば，位置感知装置，平行センサ，三角センサ，光飛行時間型距離センサなどのような，アクティブ型赤外線センサ）に起動信号を送信するための，第１のパッシブセンサ（例えば，パッシブ型赤外線センサ）を起動する。例えば，第１のパッシブセンサは，室内に進入する人間からの赤外線放射による，周囲温度からの差異閾値を超える温度差を検出することができる。
【００１１】
１０６で，第１のパッシブセンサから起動信号を受信したことに応じてスリープ状態（例えば，相対的に低い電力状態）からアクティブ状態（例えば，第１のアクティブセンサのエミッタは，１つ以上の信号を検出ゾーンに向けて放出することができ，これは物体で反射されて，第１のアクティブセンサの受信機で検出することができる）に遷移するための，第１のアクティブセンサを起動することができる。１０８で，第１のアクティブセンサは，アクティブ状態にある間に，物体検出データを生成するために，第１の検出ゾーン（例えば，ベッドサイドゾーン，出入口ゾーン，衛生ゾーン，衛生機会ゾーン，人数計数ゾーンなど）のような１つ以上の検出ゾーン内で物体の動き及び／又は距離を検出することができる。物体検出データに基づいて，衛生機会及び／又は他の情報（例えば，人数，セキュリティ違反など）を特定することができる。物体検出データは，保存すること，ネットワークを介して伝送すること，ＲＦ信号によって伝送すること，及び／又は指示器（例えば，光を点滅させる，手洗い画像のような画像を表示する，衛生ビデオのようなビデオを再生する，第１の検出ゾーンの衛生要件などの録音を再生する，など）をアクティブにするために用いること，ができる。１１０で，検出タイムアウト（例えば，８秒），及び／又は物体が第１の検出ゾーンを離れたという判定に応じて，アクティブセンサは，電力消費を防ぐために，アクティブ状態からスリープ状態に遷移することができる。このようにして，パッシブセンサによって起動されるまではアクティブセンサが低電力スリープ状態に維持されることで，無駄に電力を消費することなく，アクティブセンサは，比較的正確な検出情報を提供する。本方法は１１２で終了する。
【００１２】
図２Ａは，第１のセンサ配列２０２を備えたセンシングシステム２００の一例を示している。第１のセンサ配列２０２は，第１のパッシブセンサ２０４（例えば，パッシブ型赤外線センサ）及び／又は第１のアクティブセンサ２０８（例えば，位置感知装置，平行センサ，三角センサ，光飛行時間型距離センサなどのような，アクティブ型赤外線センサ）を含むことができる。一例では，第１のセンサ配列２０２は，第１のパッシブセンサ２０４及び／又は第１のアクティブセンサ２０８の動作を制御するように構成された，図示していないマイクロコントローラを備えることができる（例えば，マイクロコントローラは，第１のアクティブセンサ２０８をスリープ状態又はアクティブ状態に設定することができる；マイクロコントローラは，第１のアクティブセンサ２０８によって収集された物体検出データ２１０を保存，処理，及び／又は伝達することができる，など）。一例では，第１のパッシブセンサ２０４及び第１のアクティブセンサ２０８は，センサ筐体内に含むことができる。パッシブセンサ２０４は，物体の存在を検出するように構成することができる（例えば，第１のパッシブセンサ２０４は，人間２１４からの赤外線放射による，周囲温度からの温度変化を検出することができる）。第１のパッシブセンサ２０４は，人間２１４を検出したことに応じて，（例えば，第１のセンサ配列２０２に電力を供給するバッテリなどの電力を節約するためにスリープ状態であり得る）第１のアクティブセンサ２０８に，起動信号２０６を送信することができる。
【００１３】
第１のアクティブセンサ２０８は，第１のパッシブセンサ２０４から起動信号２０６を受信したことに応じて，スリープ状態からアクティブ状態に遷移するように構成することができる（例えば，マイクロコントローラは，第１のパッシブセンサ２０４から起動信号２０６を受信することができ，そして第１のアクティブセンサ２０８に検出の開始を指示することができる）。第１のアクティブセンサ２０８は，アクティブ状態にある間に，物体検出データ２１０を生成するために，第１の検出ゾーン２１２内で人間２１４の動き及び／又は距離を検出することができる。一例では，第１の検出ゾーン２１２は，（例えば，キッチン又はバスルームなどの室内への入退路を規定する）検出距離測定基準の第１セットに基づいて規定することができる。他の例では，第１のアクティブセンサ２０８は，（例えば，室内への入退路以外の部分を規定する）非検出距離測定基準の第１セットに基づいて規定される非検出ゾーンを無視することができる。第１のセンサ配列２０２は，第１のセンサ配列２０２のデータ記憶装置内に物体検出データ２１０を保存するように，通信ネットワークを介して物体検出データ２１０を伝送するように，物体検出データ２１０をＲＦ信号として伝送するように，及び／又は指示器（例えば，光を点滅させる，画像を表示する，ビデオを再生する，録音を再生する，など）をアクティブにするように，構成することができる。一例では，第１のセンサ配列２０２は，物体検出データ２１０に基づいて，衛生機会を識別するように構成することができる（例えば，その人間２１４は，その室内にいる間に衛生機会を持つことがある）。他の例では，第１のセンサ配列２０２は，物体検出データ２１０に基づいて，人間２１４の入室及び／又は退室を識別（例えば，人数を特定）するように構成することができる。
【００１４】
図２Ｂは，第１のセンサ配列２０２の第１のアクティブセンサ２０８がアクティブ状態からスリープ状態２１８に遷移する一例を示している。一例では，第１のアクティブセンサ２０８は，図２Ａに示すように，第１の検出ゾーン２１２内で人間２１４を検出することができるように，第１のアクティブセンサ２０８は，第１のパッシブセンサ２０４によってアクティブ状態に起動されていることがある。第１のアクティブセンサ２０８は，人間２１４が第１の検出ゾーン２１２を離れた（例えば，人間２１４が非検出ゾーン２１６に入ったかもしれない）と判定することがある。これによって，第１のセンサ配列２０２による電力消費を節約するために，第１のアクティブセンサ２０８は，アクティブ状態からスリープ状態２１８に遷移することができる。
【００１５】
図３Ａは，物体を検出するためのセンシングシステム３００の一例を示している。センシングシステム３００は，第１のパッシブセンサ３０４と第１のアクティブセンサ３０８とを備えることができる。一例では，第１のパッシブセンサ３０４は，第１のセンサ筐体内に含まれる。第１のアクティブセンサ３０８は，第１のセンサ筐体から離れた第２のセンサ筐体内に含まれる。このようにして，第１のアクティブセンサ３０８は，第１のパッシブセンサ３０４の位置とは異なる離れた位置に配置することができる。第１のパッシブセンサ３０４は，人間３１４などの物体の存在を検出したことに応じて，第１のアクティブセンサ３０８に起動信号３０２（例えば，ＲＦ信号）を送信するように構成することができる。第１のアクティブセンサ３０８は，起動信号３０２を受信したことに応じて，スリープ状態からアクティブ状態に遷移するように構成することができる。第１のアクティブセンサ３０８は，アクティブ状態にある間に，物体検出データ３１０（例えば，人数）を生成するために，第１の検出ゾーン３１２内で人間３１４の動き及び／又は距離を検出することができる。一例では，第１のアクティブセンサ３０８は，第１の非検出ゾーン３１６を無視することができる。
【００１６】
図３Ｂは，物体を検出するためのセンシングシステム３５０の一例を示している。センシングシステム３５０は，第１のパッシブセンサ３０４と第１のアクティブセンサ３０８とを備えることができる。一例では，第１のパッシブセンサ３０４は，第１のセンサ筐体内に含まれる。第１のアクティブセンサ３０８は，第１のセンサ筐体から離れた第２のセンサ筐体内に含まれる。一例では，第１のパッシブセンサ３０４は，接続３５４（例えば，ワイヤ，ネットワークなど）によって第１のアクティブセンサ３０８に接続されている。このようにして，第１のアクティブセンサ３０８は，第１のパッシブセンサ３０４の位置とは異なる離れた位置に配置することができる。第１のパッシブセンサ３０４は，人間３１４などの物体の存在を検出したことに応じて，接続３５４を介して第１のアクティブセンサ３０８に起動信号３５２を送信するように構成することができる。第１のアクティブセンサ３０８は，起動信号３５２を受信したことに応じて，スリープ状態からアクティブ状態に遷移するように構成することができる。第１のアクティブセンサ３０８は，アクティブ状態にある間に，物体検出データ３１０（例えば，人数）を生成するために，第１の検出ゾーン３１２内で人間３１４の動き及び／又は距離を検出することができる。一例では，第１のアクティブセンサ３０８は，第１の非検出ゾーン３１６を無視することができる。
【００１７】
図３Ｃは，物体を検出するためのセンシングシステム３７０の一例を示している。センシングシステム３７０は，第１のパッシブセンサ３０４，第１のアクティブセンサ３０８，第２のアクティブセンサ３７２，及び／又は図示していない他のアクティブセンサを備えることができる。一例では，第１のパッシブセンサ３０４は，第１のセンサ筐体内に含まれる。第１のアクティブセンサ３０８は，第１のセンサ筐体から離れた第２のセンサ筐体内に含まれる。第２のアクティブセンサ３７２は，第１のセンサ筐体及び／又は第２のセンサ筐体から離れた第３のセンサ筐体内に含まれる。このようにして，第１のアクティブセンサ３０８及び／又は第２のアクティブセンサ３７２は，第１のパッシブセンサ３０４の位置とは異なる離れた位置に配置することができる。第１のパッシブセンサ３０４は，人間３１４などの物体の存在を検出したことに応じて，起動信号３０２（例えば，第１のＲＦ信号）を第１のアクティブセンサ３０８に，及び／又は第２の起動信号３７４（例えば，第２のＲＦ信号）を第２のアクティブセンサ３７２に，送信するように構成することができる。第１のアクティブセンサ３０８は，起動信号３０２を受信したことに応じて，スリープ状態からアクティブ状態に遷移するように構成することができる。第１のアクティブセンサ３０８は，アクティブ状態にある間に，物体検出データ３１０を生成するために，第１の検出ゾーン３１２（及び／又は，例えば，第１のアクティブセンサ３０８で検出するように構成された他の検出ゾーン）内で人間３１４の動き及び／又は距離を検出することができる。一例では，第１のアクティブセンサ３０８は，第１の非検出ゾーン３１６を無視することができる。第２のアクティブセンサ３７２は，第２の起動信号３７４を受信したことに応じて，第２のスリープ状態から第２のアクティブ状態に遷移するように構成することができる。第２のアクティブセンサ３７２は，第２のアクティブ状態にある間に，第２の物体検出データ３７６を生成するために，第１の検出ゾーン３１２（及び／又は，例えば，第２のアクティブセンサ３７２で検出するように構成された他の検出ゾーン）内で人間３１４の動き及び／又は距離を検出することができる。一例では，第２のアクティブセンサ３７２は，第１の非検出ゾーン３１６を無視することができる。
【００１８】
センシングシステムは，１つ以上のパッシブセンサ及び／又は１つ以上のアクティブセンサ（例えば，単一のパッシブセンサと複数のアクティブセンサ；複数のパッシブセンサと単一のアクティブセンサ；単一のアクティブセンサ；複数のアクティブセンサ；複数のパッシブセンサと複数のアクティブセンサ；など）を備え得るものと理解できる。一例では，センシングシステムは，図３Ｄの例３８０に示すように，（例えば，第１の検出ゾーン３１２内で人間３１４を検出したことに応じて）第１のアクティブセンサ３０８に起動信号３０２を送信するように構成された第１のパッシブセンサ３０４を備え，さらに，（例えば，第２の検出ゾーン３８６内で第２の人間３８８を検出したことに応じて）第２のアクティブセンサ３７２に起動信号３８４を送信するように構成された第２のパッシブセンサ３８２を備える。一例では，センシングシステムは，図３Ｅの例３９０に示すように，第１のパッシブセンサ３０４，第２のパッシブセンサ３８２，及び第１のアクティブセンサ３０８を備える。第１のパッシブセンサ３０４は，図３Ｅの例３９０に示すように，（例えば，第１の検出ゾーン３１２内で人間３１４を検出したことに応じて）第１のアクティブセンサ３０８に起動信号３０２を送信するように構成される。第２のパッシブセンサ３８２は，図３Ｆの例３９４に示すように，（例えば，第２の検出ゾーン３８６内で人間３９６を検出したことに応じて）第１のアクティブセンサ３０８に起動信号３９８を送信するように構成される。
【００１９】
図４は，患者の病室内に構成されたセンシングシステムの一例４００を示している。病室は，患者ベッドゾーン４０２を含み得る。センシングシステムは，第１のパッシブセンサと第１のアクティブセンサとを含む第１のセンサ配列４０８を備えることができる。一例では，第１のセンサ配列４０８は，病室への入退路を横切るように照準を合わせることができる。センシングシステムのための（例えば，検出のための）第１の検出ゾーン４０６（例えば，入退路を横切って広がる出入口ゾーン）は，検出距離測定基準の第１セットに基づいて規定することができる。一例では，センシングシステムのための（例えば，無視するための）第１の非検出ゾーン４０４（例えば，病室の入退域以外の部分）は，非検出距離測定基準の第１セットに基づいて規定することができる。他の例では，第１の非検出ゾーン４０４は規定しなくてもよく，単に，第１の検出ゾーン４０６の外の領域に対応させることができる。第１のセンサ配列４０８のパッシブセンサは，第１の検出ゾーン４０６内で看護師４１０などの物体を検出したことに応じて，第１のセンサ配列４０８のアクティブセンサに起動信号を送信するように構成することができる。これによって，アクティブセンサは，スリープ状態からアクティブ状態に遷移することができ，電力節約のためにアクティブ状態からスリープ状態に遷移するまでの間に，（例えば，看護師４１０の衛生機会を識別するための）物体検出データを生成するために，看護師４１０の動き及び／又は距離を検出する。
【００２０】
図５は，患者の病室内に構成されたセンシングシステムの一例５００を示している。病室は，患者ベッドゾーン５０２を含み得る。センシングシステムは，第１のパッシブセンサと第１のアクティブセンサとを含む第１のセンサ配列５０８を備えることができる。一例では，第１のセンサ配列５０８は，病室への入退路に向けて照準を合わせることができる。センシングシステムのための（例えば，検出のための）第１の検出ゾーン５０６（例えば，入退路から病室内へと広がる出入口ゾーン）は，検出距離測定基準の第１セットに基づいて規定することができる。センシングシステムは，第１の非検出ゾーン５０４（例えば，病室の入退域以外の部分）を無視するように構成することができる。第１のセンサ配列５０８のパッシブセンサは，第１の検出ゾーン５０６内で看護師５１０などの物体を検出したことに応じて，第１のセンサ配列５０８のアクティブセンサに起動信号を送信するように構成することができる。これによって，アクティブセンサは，スリープ状態からアクティブ状態に遷移することができ，電力節約のためにアクティブ状態からスリープ状態に遷移するまでの間に，（例えば，看護師５１０の衛生機会を識別するための）物体検出データを生成するために，看護師５１０の動き及び／又は距離を検出する。
【００２１】
図６Ａは，患者の病室内に構成されたセンシングシステムの一例６００を示している。病室は，患者ベッドゾーン６０２を含み得る。センシングシステムは，第１のパッシブセンサと第１のアクティブセンサとを含む第１のセンサ配列６０８を備えることができる。一例では，第１のセンサ配列６０８は，患者ベッドゾーン６０２の第１のベッドサイドに向けて照準を合わせることができる。センシングシステムのための（例えば，検出のための）第１の検出ゾーン６０６（例えば，患者ベッドゾーン６０２の第１のベッドサイドに相当する）は，検出距離測定基準の第１セットに基づいて規定することができる。センシングシステムは，第１の非検出ゾーン６０４（例えば，患者の動きを無視するように，患者ベッドサイドゾーン６０２など，病室の第１のベッドサイド以外の部分）を無視するように構成することができる。第１のセンサ配列６０８のパッシブセンサは，第１の検出ゾーン６０６内で物体を検出していないので，第１のセンサ配列６０８のアクティブセンサは，電力消費を節約するためにスリープ状態のまま維持することができる。
【００２２】
図６Ｂは，物体を検出するために，第１のセンサ配列６０８のパッシブセンサが第１のセンサ配列６０８のアクティブセンサを起動させる一例６５０を示している。パッシブセンサは，第１の検出ゾーン６０６（例えば，病室内の患者ベッドゾーン６０２の第１のベッドサイド）内で看護師６１０などの物体を検出することができる。第１のセンサ配列６０８のパッシブセンサは，看護師６１０を検出したことに応じて，アクティブセンサに起動信号を送信するように構成することができる。これによって，アクティブセンサは，スリープ状態からアクティブ状態に遷移することができ，電力節約のためにアクティブ状態からスリープ状態に遷移するまでの間に，（例えば，看護師６１０が患者ベッドゾーン６０２内の患者に接した後に衛生装置６１２を使用する衛生機会を識別するための）物体検出データを生成するために，看護師６１０の動き及び／又は距離を検出する。
【００２３】
図７Ａは，患者の病室内に構成されたセンシングシステムの一例７００を示している。病室は，患者７１４のための患者ベッドゾーン７０２を含み得る。センシングシステムは，第１のパッシブセンサと第１のアクティブセンサとを含む第１のセンサ配列７０８を備えることができる。一例では，第１のセンサ配列７０８は，患者ベッドゾーン７０２の第１のベッドサイド，患者ベッドゾーン７０２，及び患者ベッドゾーン７０２の第２のベッドサイドを横切るように照準を合わせることができる。センシングシステムのための（例えば，検出のための）第１の検出ゾーン７０６（例えば，患者ベッドゾーン７０２の第１のベッドサイドに相当する）は，検出距離測定基準の第１セットに基づいて規定することができる。センシングシステムのための（例えば，検出のための）第２の検出ゾーン７１４（例えば，患者ベッドゾーン７０２の第２のベッドサイドに相当する）は，検出距離測定基準の第２セットに基づいて規定することができる。センシングシステムは，第１の非検出ゾーン７０４（例えば，患者７１４の動きを無視するように，患者ベッドサイドゾーン７０２など，病室のベッドサイド以外の部分）を無視するように構成することができる。第１のセンサ配列７０８のパッシブセンサは，第１の検出ゾーン７０６及び／又は第２の検出ゾーン７１４内で物体を検出していないので，第１のセンサ配列７０８のアクティブセンサは，電力消費を節約するためにスリープ状態のまま維持することができる。
【００２４】
図７Ｂは，物体を検出するために，第１のセンサ配列７０８のパッシブセンサが第１のセンサ配列７０８のアクティブセンサを起動させる一例７５０を示している。パッシブセンサは，第２の検出ゾーン７１４（例えば，病室内の患者ベッドゾーン７０２の第２のベッドサイドに相当する）内で看護師７１０などの物体を検出することができる。第１のセンサ配列７０８のパッシブセンサは，看護師７１０を検出したことに応じて，アクティブセンサに起動信号を送信するように構成することができる。これによって，アクティブセンサは，スリープ状態からアクティブ状態に遷移することができ，電力節約のためにアクティブ状態からスリープ状態に遷移するまでの間に，（例えば，看護師７１０が患者７１４に接した後に衛生装置７１２を使用する衛生機会を識別するための）物体検出データを生成するために，第２の検出ゾーン７１４内で看護師７１０の動き及び／又は距離を検出する。
【００２５】
図８Ａ〜８Ｃは，複数のセンサ配列による，物体の逐次検出の一例を示している。第１のセンサ配列８０８及び第２のセンサ配列８１２を，患者の病室内に構成することができる。第１のセンサ配列８０８は，第１のパッシブセンサ及び／又は第１のアクティブセンサを含むことができる。第１のセンサ配列８０８のための第１の検出ゾーン８０６は，検出距離測定基準の第１セットに基づいて規定することができる。第２のセンサ配列８１２は，第２のパッシブセンサ及び／又は第２のアクティブセンサを含むことができる。第２のセンサ配列８１２のための第２の検出ゾーン８１４は，検出距離測定基準の第２セットに基づいて規定することができる。
【００２６】
一例では，第１のパッシブセンサは，図８Ａの例８００で示すように，第１の検出ゾーン８０６内で看護師８１０などの物体の存在を検出することができる。第１のパッシブセンサは，第１の検出ゾーン８０６内で看護師８１０の動き及び／又は距離を検出するために，第１のアクティブセンサに起動信号を送信することができる。一例では，看護師８１０は，病室内に進入する間に，図８Ｂの例８５０で示すように，第１の検出ゾーン８０６と第２の検出ゾーン８１４の両方にかかり得る。従って，第１のアクティブセンサは，第１の検出ゾーン８０６内で看護師８１０の動き及び／又は距離を検出し，第２のアクティブセンサは，第２の検出ゾーン８１４内で看護師８１０の動き及び／又は距離を検出する（例えば，第２のアクティブセンサは，第２のパッシブセンサからの起動信号に基づいて検出を開始することができる）。一例では，看護師８１０は，病室内にさらに進入する間に，図８Ｃの例８７０で示すように，第２の検出ゾーン８１４にかかり得る一方，第１の検出ゾーン８０６にはかからない場合がある。従って，第１のアクティブセンサは検出しないが，第２のアクティブセンサは，第２の検出ゾーン８１４内で看護師８１０の動き及び／又は距離を検出し得る。このようにして，病室に進入する看護師８１０の逐次検出（及び／又は，例えば，退室する看護師８１０の検出）を容易に進めることができる。
【００２７】
図９Ａ及び９Ｂは，異なる検出区域に手動で調整可能なセンシングシステムの例を示している。図９Ａは，検出構成の第１の区域に従って構成されたセンシングシステムの一例９００を示している。例えば，第１のパッシブセンサ９１２，第２のパッシブセンサ９１４，第１のアクティブセンサ９１６，及び／又は第２のアクティブセンサ９１８は，選択的に位置決め可能であり得る（例えば，センサは，上／下，左／右，斜めなどの複数の方向に手動又は機械的に可動であり得る）。例えば，センシングシステムの設置者は，病室９０４内で，第１のパッシブセンサ９１２及び第２のパッシブセンサ９１４を，最初に，患者のベッド９０２に向けて位置決めすることができる。このようにして，第１のパッシブセンサ９１２は，第１のパッシブ検出ゾーン９２２を有し，第２のパッシブセンサは，第２のパッシブ検出ゾーン９２４を有する。設置者は，第１のアクティブセンサ９１６及び第２のアクティブセンサ９１８を，最初に，反対の壁に互いに向かい合わせて位置決めすることができる。このようにして，第１のアクティブセンサ９１６は，第１のアクティブ検出ゾーン９２０を有し，第２のアクティブセンサ９１８は，第２のアクティブ検出ゾーン９２６を有する。
【００２８】
第１のユーザ９０６が第１の経路９２８を取るときには（例えば，第１ユーザ９０６は，第１のパッシブ検出ゾーン９２２の左側を通るかもしれない），第１のパッシブセンサ９１２は，病室９０４内に進入する第１のユーザ９０６を検出しない場合があるので，第１のパッシブセンサ９１２は，第１のユーザ９０６の検出のために第１のアクティブセンサ９１６を起動させないことになる。第２のユーザ９０８が第２の経路９３０を取るときには（例えば，第２のユーザ９０８は，第２のパッシブ検出ゾーン９２４の右側を通るかもしれない），第２のパッシブセンサ９１４は，病室９０４内に進入する第２のユーザ９０８を検出しない場合があるので，第２のパッシブセンサ９１４は，第２のユーザ９０８の検出のために第２のアクティブセンサ９１８を起動させないことになる。従って，設置者は，図９Ｂの例９５０で示すように，第１のパッシブセンサ９１２を左に向けて調整することができ，その結果として得られる調整後の第１のパッシブ検出ゾーン９２２ａは，第１の入退路９３２を横切って，第１のパッシブ検出ゾーン９２２よりも大きい検出範囲を提供する。設置者は，第１のアクティブセンサ９１６を左に向けて調整することができ，その結果として得られる調整後の第１のアクティブ検出ゾーン９２０ａは，調整後の第１のパッシブ検出ゾーン９２２ａとの望ましい重なりを有する。設置者は，第２のパッシブセンサ９１４を右に向けて調整することができ，その結果として得られる調整後の第２のパッシブ検出ゾーン９２４ａは，第２の入退路９３４を横切って，第２のパッシブ検出ゾーン９２４よりも大きい範囲を提供する。設置者は，第２のアクティブセンサ９１８を左に向けて調整することができ，その結果として得られる調整後の第２のアクティブ検出ゾーン９２６ａは，調整後の第２のパッシブ検出ゾーン９２４ａとの望ましい重なりを有する。このようにして，センシングシステムを，検出構成の第２の区域に調整することができる。設置者は，センサの不正な位置決め変更を抑制するために，センサ，及び／又はセンサを含む筐体のカバーを，ロックすることができる。
【００２９】
さらに別の実施形態は，本明細書で提示される技術の１つ以上を実現するように構成されたプロセッサ実行可能命令を含むコンピュータ可読媒体に関する。コンピュータ可読媒体又はコンピュータ可読装置の例示的な実施形態を図１０に示しており，この場合の実現形態１０００は，ＣＤ−Ｒ，ＤＶＤ−Ｒ，フラッシュドライブ，ハードディスクドライブのプラッタなどのようなコンピュータ可読媒体１００８を含み，その上にコンピュータ可読データ１００６が符号化されている。０又は１の少なくとも一方を含むバイナリデータのような，このコンピュータ可読データ１００６は，これにより，本明細書に記載の原理の１つ以上に従って動作するように構成されたコンピュータ命令１００４のセットを構成している。いくつかの実施形態において，プロセッサ実行可能コンピュータ命令１００４は，例えば，図１の例示的な方法１００の少なくとも一部などの方法１００２を実行するように構成されている。いくつかの実施形態において，プロセッサ実行可能命令１００４は，例えば，図２Ａの例示的なシステム２００の少なくとも一部，図３Ａの例示的なシステム３００の少なくとも一部，図３Ｂの例示的なシステム３５０の少なくとも一部，及び／又は図３Ｃの例示的なシステム３７０の少なくとも一部などのシステムを実現するように構成されている。本明細書で提示される技術に従って動作するように構成された，多くのこのようなコンピュータ可読媒体が，当業者によって考案される。
【００３０】
主題について，構造的特徴及び／又は方法論的動作に特化した表現で説明したが，添付の請求項で規定される主題は，上記の特定の特徴又は動作に必ずしも限定されないことは理解されるべきである。むしろ，上記の具体的な特徴及び動作は，請求項の少なくとも一部を実現する例示的形態として開示している。
【００３１】
本出願で使用される場合の，「コンポーネント」，「モジュール」，「システム」，「インタフェース」という用語，及び／又は類似の用語は，一般的に，ハードウェア，ハードウェアとソフトウェアの組み合わせ，ソフトウェア，又は実行中のソフトウェアのいずれかであるコンピュータ関連エンティティを指すものである。例えば，コンポーネントは，プロセッサ上で動作するプロセス，プロセッサ，オブジェクト，実行ファイル，実行スレッド，プログラム，及び／又はコンピュータであり得るが，ただし，これらに限定されない。例として，コントローラ上で動作するアプリケーションと，コントローラは，どちらもコンポーネントであり得る。１つ以上のコンポーネントを，１つのプロセス及び／又は実行スレッドに含むことができ，１つのコンポーネントを，１つのコンピュータ上に局在化させること，及び／又は２つ以上のコンピュータに分散させることができる。
【００３２】
また，開示の主題を実現するようにコンピュータを制御するソフトウェア，ファームウェア，ハードウェア，又はそれらの任意の組み合わせを生成するために標準的なプログラミング及び／又は工学技術を用いて，請求項に係る主題を，方法，装置，又は製造品として実現することができる。本明細書で使用される場合の「製造品」という用語は，任意のコンピュータ可読装置，キャリア，又は媒体からアクセス可能なコンピュータプログラムを包含するものである。当然のことながら，本構成に対して，請求項に係る主題の範囲又は趣旨から逸脱することなく，数多くの変更を実施することができる。
【００３３】
図１１及び以下の解説は，本明細書に記載の規定のうちの１つ以上の実施形態を実施するのに適したコンピューティング環境についての簡単な概要を提示している。図１１の動作環境は，適切な動作環境の一例にすぎず，その動作環境の利用範囲又は機能に関して何らかの限定を示唆するものではない。コンピュータデバイスの例として，パーソナルコンピュータ，サーバコンピュータ，ハンドヘルド又はラップトップデバイス，モバイルデバイス（携帯電話機，パーソナルデジタルアシスタント（ＰＤＡ），メディアプレーヤなど），マルチプロセッサシステム，家庭用電子機器，ミニコンピュータ，メインフレームコンピュータ，上記のシステム又はデバイスのいずれかを含む分散コンピューティング環境などが含まれるが，ただし，これらに限定されない。
【００３４】
実施形態は，１つ以上のコンピュータデバイスで実行される「コンピュータ可読命令」という一般的文脈において説明されるものの，これは必須ではない。コンピュータ可読命令は，（後述の）コンピュータ可読媒体によって分散させることができる。コンピュータ可読命令は，特定のタスクを実行するか，又は特定の抽象データ型を実現する関数，オブジェクト，アプリケーションプログラミングインタフェース（ＡＰＩ），データ構造などのようなプログラムモジュールとして実現することができる。一般に，コンピュータ可読命令の機能は，様々な環境における要求に応じて，統合又は分散させることができる。
【００３５】
図１１は，本明細書で提示する１つ以上の実施形態を実施するために構成されたコンピュータデバイス１１１２を備えるシステム１１００の一例を示している。一構成では，コンピュータデバイス１１１２は，少なくとも１つの処理装置１１１６及びメモリ１１１８を備える。コンピュータデバイスの厳密な構成及びタイプに応じて，メモリ１１１８は，（例えば，ＲＡＭのような）揮発性，（例えば，ＲＯＭ，フラッシュメモリなどのような）不揮発性，又はこれら２つの何らかの組み合わせとすることができる。この構成を，図１１に破線１１１４で示している。
【００３６】
他の実施形態では，デバイス１１１２は，さらに追加の特徴及び／又は機能を備えることができる。例えば，デバイス１１１２は，さらに，追加の（例えば，リムーバブル及び／又は非リムーバブル）記憶装置を備えることができ，それには，磁気記憶装置，光学記憶装置などが含まれるが，ただし，これらに限定されない。このような追加の記憶装置を，図１１に記憶装置１１２０で示している。一実施形態では，本明細書で提示する１つ以上の実施形態を実施するためのコンピュータ可読命令は，記憶装置１１２０内にあってよい。記憶装置１１２０は，さらに，オペレーティングシステム，アプリケーションプログラムなどを実現するための他のコンピュータ可読命令を記憶することもできる。コンピュータ可読命令は，例えば，処理装置１１１６で実行するためにメモリ１１１８にロードすることができる。
【００３７】
本明細書で使用される場合の「コンピュータ可読媒体」という用語は，コンピュータ記憶媒体を含む。コンピュータ記憶媒体として，コンピュータ可読命令又は他のデータなどの情報を記憶するための任意の方法もしくは技術で実現される揮発性及び不揮発性，リムーバブル及び非リムーバブルの媒体が含まれる。メモリ１１１８及び記憶装置１１２０は，コンピュータ記憶媒体の例である。コンピュータ記憶媒体として，ＲＡＭ，ＲＯＭ，ＥＥＰＲＯＭ，フラッシュメモリもしくは他のメモリ技術，ＣＤ−ＲＯＭ，デジタル多用途ディスク（ＤＶＤ）もしくは他の光学記憶装置，磁気カセット，磁気テープ，磁気ディスク記憶装置もしくは他の磁気記憶装置，又は所望の情報を記憶するのに用いることができ，デバイス１１１２によるアクセスが可能な他の任意の媒体が含まれるが，ただし，これらに限定されない。このようなコンピュータ記憶媒体は，いずれも，デバイス１１１２の一部とすることができる。
【００３８】
デバイス１１１２は，さらに，デバイス１１１２が他のデバイスと通信することを可能とする通信接続（群）１１２６を有することができる。通信接続（群）１１２６として，モデム，ネットワークインタフェースカード（ＮＩＣ），統合ネットワークインタフェース，無線周波数送信機／受信機，赤外線ポート，ＵＳＢ接続，又はコンピュータデバイス１１１２を他のコンピュータデバイスに接続するための他のインタフェースを含むことができるが，ただし，これらに限定されない。通信接続（群）１１２６は，有線接続又は無線接続を含むことができる。通信接続（群）１１２６によって，通信媒体を送信及び／又は受信することができる。
【００３９】
「コンピュータ可読媒体」という用語は，通信媒体を含み得る。通信媒体は，一般に，コンピュータ可読命令又は他のデータを，搬送波又は他の転送機構などの「変調データ信号」に表現するものであり，また，任意の情報配信媒体を含む。「変調データ信号」という用語は，その信号に情報を符号化するように，その特性の１つ以上が設定又は変更された信号を含み得る。
【００４０】
デバイス１１１２は，キーボード，マウス，ペン，音声入力装置，タッチ入力装置，赤外線カメラ，ビデオ入力装置，及び／又は他の任意の入力装置などの入力装置（群）１１２４を備えることができる。さらに，１つ以上のディスプレイ，スピーカ，プリンタ，及び／又は他の任意の出力装置などの出力装置（群）１１２２を，デバイス１１１２に備えることができる。入力装置（群）１１２４及び出力装置（群）１１２２は，有線接続，無線接続，又はそれらの任意の組み合わせによって，デバイス１１１２に接続することができる。一実施形態では，他のコンピュータデバイスからの入力装置又は出力装置を，コンピュータデバイス１１１２のための入力装置（群）１１２４又は出力装置（群）１１２２として使用することができる。
【００４１】
コンピュータデバイス１１１２のコンポーネントは，バスなどの種々の相互接続によって接続することができる。そのような相互接続として，ＰＣＩ  Ｅｘｐｒｅｓｓのようなペリフェラルコンポーネントインタコネクト（ＰＣＩ），ユニバーサルシリアルバス（ＵＳＢ），ＦｉｒｅＷｉｒｅ（ＩＥＥＥ  １３９４），光バス構造などを含むことができる。他の実施形態では，コンピュータデバイス１１１２のコンポーネントは，ネットワークによって相互接続することができる。例えば，メモリ１１１８は，ネットワークで相互接続された物理的に異なる場所に配置された複数の物理メモリユニットで構成することができる。
【００４２】
コンピュータ可読命令を記憶するために使用される記憶装置を，ネットワーク上に分散させてもよいことは，当業者であれば理解できるであろう。例えば，ネットワーク１１２８を介してアクセス可能なコンピュータデバイス１１３０で，本明細書で提示する１つ以上の実施形態を実施するためのコンピュータ可読命令を記憶することができる。コンピュータデバイス１１１２は，コンピュータデバイス１１３０にアクセスして，コンピュータ可読命令の一部又は全部を，実行のためにダウンロードすることができる。あるいは，コンピュータデバイス１１１２は，必要に応じて，コンピュータ可読命令の断片をダウンロードすることができ，又は，一部の命令はコンピュータデバイス１１１２で実行し，一部の命令はコンピュータデバイス１１３０で実行することができる。
【００４３】
いくつかの実施形態の様々なオペレーションを，本明細書で提示している。一実施形態では，記載したオペレーションの１つ以上で，１つ以上のコンピュータ可読媒体に記憶されるコンピュータ可読命令を構成することができ，それらは，コンピュータデバイスで実行されることで，該コンピュータデバイスに，記載のオペレーションを実行させる。それらのオペレーションの一部又は全部について記載された順序は，それらのオペレーションが必ず順序に依存することを意味するものと解釈されてはならない。他の順序で，本記載の効果を得られることは，当業者であれば理解できるであろう。また，全てのオペレーションが，本明細書で提示した各実施形態に必ずしも含まれるわけではないことは理解されるであろう。さらに，一部の実施形態では，全てのオペレーションが必要なわけではないことも理解されるであろう。
【００４４】
また，「第１」，「第２」，及び／又は類似の用語は，別段の規定がある場合を除き，時間的側面，空間的側面，順序などを意味するものではない。むしろ，これらの用語は，特徴，要素，アイテムなどの，単なる識別子，名称などとして使用される。例えば，第１のオブジェクトと第２のオブジェクトは，一般的に，オブジェクトＡとオブジェクトＢ，又は２つの異なるもしくは２つの同等のオブジェクト，又は１つの同じオブジェクトに相当する。
【００４５】
また，本明細書で使用される場合の「例示的」とは，必ずしも効果的なものとしてではなく，一例，実例，説明などとして役立つことを意味する。本明細書で使用される場合の「又は」は，排他的な「又は」ではなく，包含的な「又は」を意味するものである。さらに，本出願で使用される場合の「ａ」及び「ａｎ」は，別段の規定がある場合，又は単数形を指していることが文脈から明らかである場合を除き，一般的には，「１つ又は複数」を意味するものと解釈される。また，「ＡとＢの少なくとも一方」，及び／又は類似の表現は，一般に，「Ａ又はＢ」を意味するか，又は「ＡとＢの両方」を意味する。さらに，「含む（includes）」，「有している（having）」，「有する（has）」，「有して（with）」，及び／又はこれらの変化形は，詳細な説明又は請求項のいずれかで使用される限りにおいて，これらの用語は，「備えている（comprising）」という用語と同様に包含的な意味のものである。
【００４６】
また，本開示について，１つ以上の実現形態に関連して図示及び説明したが，他の当業者は，本明細書及び添付の図面を読解及び理解することで，均等な変更及び変形に想到するであろう。本開示は，かかるすべての変形及び変更を含むものであり，以下の請求項の範囲によってのみ限定される。特に上記のコンポーネント（例えば，要素，リソースなど）によって実行される種々の機能に関して，かかるコンポーネントを記述するために使用される用語は，特に指定のない限り，開示の構造と構造的に等価ではなくても，記載のコンポーネントの特定の機能を実行する（例えば，機能的に等価である）任意のコンポーネントに該当するものとする。さらに，本開示の特定の特徴が，いくつかの実現形態のうちの１つのみに関して開示されていることがあるものの，かかる特徴は，要求に応じて，所与又は特定の用途に効果的であり得るように，その他の実現形態における１つ以上の他の特徴と組み合わせることができる。
【図１】
2017512977.tif 000003
【図２Ａ】
2017512977.tif 000004
【図２Ｂ】
2017512977.tif 000005
【図３Ａ】
2017512977.tif 000006
【図３Ｂ】
2017512977.tif 000007
【図３Ｃ】
2017512977.tif 000008
【図３Ｄ】
2017512977.tif 000009
【図３Ｅ】
2017512977.tif 000010
【図３Ｆ】
2017512977.tif 000011
【図４】
2017512977.tif 000012
【図５】
2017512977.tif 000013
【図６Ａ】
2017512977.tif 000014
【図６Ｂ】
2017512977.tif 000015
【図７Ａ】
2017512977.tif 000016
【図７Ｂ】
2017512977.tif 000017
【図８Ａ】
2017512977.tif 000018
【図８Ｂ】
2017512977.tif 000019
【図８Ｃ】
2017512977.tif 000020
【図９Ａ】
2017512977.tif 000021
【図９Ｂ】
2017512977.tif 000022
【図１０】
2017512977.tif 000023
【図１１】
2017512977.tif 000024
【国際調査報告】
2017512977.tif 000025
2017512977.tif 000026
2017512977.tif 000027